【手続補正書】
【提出日】令和2年10月28日(2020.10.28)
【手続補正１】
【補正対象書類名】特許請求の範囲
【補正対象項目名】全文
【補正方法】変更
【補正の内容】
【特許請求の範囲】
【請求項１】
釣り糸が巻き付けられるスプールと、
前記スプールの回転中心に配置されるスプール軸と、
前記スプール軸の一端側を支持可能に構成されるスプール支持部と、
前記スプール支持部が着脱可能に装着される本体部と、
前記本体部と前記スプール支持部との間に配置され且つ前記スプール支持部を前記本体部に着脱可能に装着するために前記スプール支持部に対して回動可能に配置される回動部材と、
前記スプール支持部及び前記回転中心の間に配置され、前記スプール支持部及び前記回動部材に係合し、前記回動部材を前記スプール支持部から抜け止めする抜け止め部材と、
を備える両軸受リール。
【請求項２】
前記スプール支持部は、前記回転中心及び前記回動部材の径方向間に、配置される、
請求項１に記載の両軸受リール。
【請求項３】
前記スプール支持部は、前記回転中心から前記回動部材に向けて径方向に延びる孔部を、有し、
前記抜け止め部材は、前記スプール支持部及び前記回転中心の径方向間において前記スプール支持部に装着される装着部と、前記装着部から前記回動部材に向けて延び且つ前記回動部材に係合することによって前記回動部材の軸方向移動を規制する規制部とを、有する、
請求項１又は２に記載の両軸受リール。
【請求項４】
前記規制部は、前記孔部を介して前記回動部材に係合する、
請求項３に記載の両軸受リール。
【請求項５】
前記回動部材は、前記規制部及び前記スプールの軸方向間に設けられ且つ前記規制部が係合する係合部を、有する、
請求項３又は４に記載の両軸受リール。
【請求項６】
前記係合部は、実質的に環状に形成される壁部である、
請求項５に記載の両軸受リール。
【請求項７】
前記係合部は、実質的に環状に形成され且つ前記壁部を含む環状溝部であり、
前記規制部は、前記環状溝部に配置される、
請求項６に記載の両軸受リール。
【請求項８】
前記スプール支持部は、実質的に筒状に形成された筒部を、有し、
前記装着部は、前記筒部の内周部に配置される、
請求項３から７のいずれか１項に記載の両軸受リール。
【請求項９】
前記抜け止め部材を弾性変形させることによって、前記規制部は前記孔部に配置される、
請求項３から８のいずれか１項に記載の両軸受リール。
【請求項１０】
前記筒部は、前記規制部を前記孔部に案内するための案内溝部を、有する、
請求項９に記載の両軸受リール。
【請求項１１】
前記装着部は、固定部材によって、前記スプール支持部に位置決めされる、
請求項３から１０のいずれか１項に記載の両軸受リール。
【手続補正２】
【補正対象書類名】明細書
【補正対象項目名】全文
【補正方法】変更
【補正の内容】
【発明の詳細な説明】
【発明の名称】両軸受リール
【技術分野】
【０００１】
本発明は、両軸受リールに関するものである。
【背景技術】
【０００２】
従来の両軸受リールは、スプールと、スプール軸と、左フレーム（本体部）と、左フレームに装着される左側板（スプール支持部）と、左側板をリール本体に装着するための左リング状部材（回動部材）と、左側板を左リング状部材から抜け止めするための抜け止めリング（抜け止め部材）とを、備えている（特許文献１を参照）。
【先行技術文献】
【特許文献】
【０００３】
【特許文献１】特開平１１−２７６０４０号公報
【発明の概要】
【発明が解決しようとする課題】
【０００４】
従来の両軸受リールでは、抜け止めリングが、左側板の外周部に設けられた凹部と、左リング状部材の内周部に設けられた凹部との間に、配置されている（特許文献１の図４及び図５（ｂ）を参照）。
【０００５】
この場合、左側板を左リング状部材から取り外そうとすると、抜け止めリングが、左側板の凹部の壁部と、左リング状部材の凹部の壁部とに当接する。このため、左側板を左リング状部材から取り外しにくい。同様の理由で、左側板を左リング状部材に取り付けにくい。
【０００６】
また、上述したように、抜け止めリングが、左側板の凹部の壁部と、左リング状部材の凹部の壁部とに当接することによって、抜け止めリングが破損してしまうおそれもある。すなわち、従来の両軸受リールでは、左側板を左リング状部材から着脱することが難しく、着脱時に抜け止めリングが破損するおそれがある。さらに、特許文献１の図５（ａ）のように、左リング状部材を左側板にネジ止めすることによって凹部を構成するものでは、ネジを止めるためのスペースを、軸方向に用意する必要がある。
【０００７】
本発明は、上記の問題に鑑みてなされたものであって、本発明の目的は、回動部材をスプール支持部に容易に着脱できる両軸受リールを、提供することにある。また、本発明の別の目的は、スプール支持部に対する回動部材の着脱時に、抜け止め部材の破損を防止できる両軸受リールを、提供することにある。また、本発明の別の目的は回動部材とスプール支持部とをコンパクトに抜け止めすることにある。
【課題を解決するための手段】
【０００８】
本発明の一側面に係る両軸受リールは、スプールと、スプール軸と、スプール支持部と、本体部と、回動部材と、抜け止め部材とを、備える。
【０００９】
スプールには、釣り糸が巻き付けられる。スプール軸は、スプールの回転中心に配置される。スプール支持部は、スプール軸の一端側を支持可能に構成される。本体部には、スプール支持部が着脱可能に装着される。回動部材は、本体部とスプール支持部との間に配置される。回動部材は、スプール支持部を本体部に着脱可能に装着するために、スプール支持部に対して回動可能に配置される。抜け止め部材は、スプール支持部及びスプールの回転中心の間に配置される。抜け止め部材は、スプール支持部及び回動部材に係合し、回動部材をスプール支持部から抜け止めする。
【００１０】
本両軸受リールでは、抜け止め部材が、スプール支持部及びスプールの回転中心の間に配置される。回動部材は、本体部及びスプール支持部の間に配置される。この状態において、抜け止め部材が、回動部材をスプール支持部から抜け止めする。
【００１１】
このように、本両軸受リールでは、抜け止め部材が、従来技術のように回動部材及びスプール支持部の間に配置されていない。このため、抜け止め部材をスプール支持部に取り付けたり、抜け止め部材をスプール支持部から取り外したりすることによって、回動部材をスプール支持部に容易に着脱することができる。
【００１２】
また、本両軸受リールでは、スプール支持部に対する回動部材の着脱時に、抜け止め部材が、回動部材及びスプール支持部に当接することがないので、抜け止め部材の破損を防止することができる。
さらに、本両軸受リールでは、抜け止め部材が、スプール支持部及びスプールの回転中心の間に配置されるので、回動部材とスプール支持部とをコンパクトに抜け止めすることができる。
【００１３】
本発明の他の側面に係る両軸受リールでは、スプール支持部が、スプールの回転中心及び回動部材の径方向間に、配置されることが好ましい。
【００１４】
この構成によって、回動部材をスプール支持部により容易に着脱することができ、抜け止め部材の破損を防止することができる。また、回動部材とスプール支持部とをコンパクトに抜け止めすることができる。
【００１５】
本発明の他の側面に係る両軸受リールでは、スプール支持部が、スプールの回転中心から回動部材に向けて径方向に延びる孔部を、有することが好ましい。この場合、抜け止め部材は、装着部と、規制部とを、有する。
装着部は、スプール支持部及びスプールの回転中心の径方向間においてスプール支持部に装着される。規制部は、装着部から回動部材に向けて延びる。規制部は、孔部を介して回動部材に係合することによって、回動部材の軸方向移動を規制する。
【００１６】
この構成によって、回動部材をスプール支持部により容易に着脱することができ、抜け止め部材の破損をより確実に防止することができる。また、回動部材とスプール支持部とをよりコンパクトに抜け止めすることができる。
【００１７】
本発明の他の側面に係る両軸受リールでは、規制部が、孔部を介して回動部材に係合することが好ましい。
【００１８】
この構成によって、回動部材をスプール支持部により容易に着脱することができ、抜け止め部材の破損を防止することができる。また、回動部材とスプール支持部とをコンパクトに抜け止めすることができる。
【００１９】
本発明の他の側面に係る両軸受リールでは、回動部材が、係合部を有することが好ましい。この場合、係合部は、規制部及びスプールの軸方向間に設けられる。係合部には、規制部が係合する。
【００２０】
この構成によって、抜け止め部材を用いて、スプール支持部からの回動部材の抜け出しを確実に防止することができる。また、回動部材とスプール支持部とをコンパクト且つ容易に抜け止めすることができる。
【００２１】
本発明の他の側面に係る両軸受リールでは、係合部が、実質的に環状に形成される壁部であることが好ましい。
【００２２】
この構成によって、抜け止め部材を用いて、スプール支持部からの回動部材の抜け出しをより確実に防止することができる。また、回動部材とスプール支持部とをコンパクト且つ容易に抜け止めすることができる。
【００２３】
本発明の他の側面に係る両軸受リールでは、係合部が、実質的に環状に形成される環状溝部を、有することが好ましい。この場合、環状溝部は、上記の壁部を含む。規制部は、環状溝部に配置される。
【００２４】
この構成によって、抜け止め部材を用いて、スプール支持部からの回動部材の抜け出しをより確実に防止することができる。また、回動部材とスプール支持部とをコンパクト且つ容易に抜け止めすることができる。
【００２５】
本発明の他の側面に係る両軸受リールでは、スプール支持部が、実質的に筒状に形成された筒部を、有することが好ましい。装着部は、筒部の内周部に配置される。
【００２６】
この構成によって、抜け止め部材をスプール支持部に容易に配置することができる。また、回動部材とスプール支持部とをコンパクトに抜け止めすることができる。
【００２７】
本発明の他の側面に係る両軸受リールでは、抜け止め部材を弾性変形させることによって、規制部が孔部に配置される。
【００２８】
この構成によって、抜け止め部材をスプール支持部に容易に着脱することができる。
【００２９】
本発明の他の側面に係る両軸受リールでは、筒部が、規制部を孔部に案内するための案内溝部を、有することが好ましい。
【００３０】
この構成によって、抜け止め部材をスプール支持部により容易に着脱することができる。また、回動部材とスプール支持部とをコンパクトに抜け止めすることができる。
【００３１】
本発明の他の側面に係る両軸受リールでは、装着部が、固定部材によって、スプール支持部に位置決めされる。
【００３２】
この構成によって、抜け止め部材をスプール支持部により確実に装着することができる。
【発明の効果】
【００３３】
本発明によれば、両軸受リールにおいて、回動部材をスプール支持部に容易に着脱でき、抜け止め部材の破損を防止できる。また、両軸受リールにおいて、回動部材とスプール支持部とをコンパクトに抜け止めすることができる。
【図面の簡単な説明】
【００３４】
【図１】両軸受リールの斜視図。
【図２Ａ】第２側板の斜視図。
【図２Ｂ】第２側板の側面図。
【図３】スプール支持構造の斜視図。
【図４】抜け止め部材が配置されたスプール支持部の斜視図。
【図５】スプール支持部の斜視図。
【図６】回動部材の斜視図。
【図７】抜け止め部材の斜視図。
【図８】図１の切断線VIII- VIIIにおける部分拡大断面図。
【発明を実施するための形態】
【００３５】
＜両軸受リールの全体概要＞
本発明の実施形態による両軸受リール１００は、図１に示すように、リール本体１（本体部の一例）と、ハンドル２と、スプール１０と、スプール軸１４（図４及び図８を参照）と、スプール支持構造１５とを、備える。
【００３６】
なお、以下に用いられる"軸方向"は、スプール１０の回転中心すなわちスプール軸心ＣＡが延びる方向、又はスプール軸心ＣＡに沿った方向として、定義される。スプール軸心ＣＡは、スプール軸１４の軸心と同芯である。このため、"軸方向"は、スプール軸１４が延びる方向、又はスプール軸１４に沿った方向とも解釈できる。
【００３７】
"径方向"は、スプール軸心ＣＡから離れる方向として、定義される。"周方向"は、スプール軸心ＣＡまわりの方向として、定義される。
【００３８】
図１に示すように、リール本体１には、ハンドル２と、スプール１０と、スプール軸１４（図４及び図８を参照）と、スプール支持構造１５とが、装着される。リール本体１の詳細については、後述する。
【００３９】
ハンドル２は、スプール１０を回転可能に構成される。詳細には、ハンドル２は、スプール１０を回転駆動するように構成され、リール本体１の側部に回転可能に設けられる。ハンドル２は、後述する側カバー８ａ側に設けられる。
【００４０】
なお、両軸受リール１００を釣り竿に装着した状態においてハンドル２を回転した場合に、ハンドル２が回転する回転方向を、"糸巻き取り方向"と記すことがある。また、釣糸を繰り出す方向を前方とし、その反対を後方とする。釣竿に近付く方向を下方、釣竿から離れる方向を上方とする。
【００４１】
スプール１０には、釣り糸が巻き付けられる。スプール１０は、上述したスプール軸心ＣＡを有する。スプール１０は、リール本体１に回転可能に支持される。ここでは、スプール１０は、スプール軸１４に一体回転可能に装着される。スプール１０は、スプール軸１４を介して、リール本体１に回転可能に支持される。スプール軸１４は、スプール軸心ＣＡに配置される。ここでは、スプール軸１４は、スプール１０と一体回転可能に構成される。スプール軸１４は、リール本体１に回転可能に支持される。
【００４２】
＜リール本体＞
図１に示すように、リール本体１は、フレーム７と、側カバー８ａとを、有する。
【００４３】
フレーム７は、第１側板７ａと、第２側板７ｂと、複数の連結部７ｃとを、有する。第１側板７ａと第２側板７ｂとの間には、スプール１０が配置される。第１側板７ａは、ハンドル２側に設けられる。第１側板７ａは、図示しない軸受を介して、スプール軸１４を回転可能に支持する。
【００４４】
第２側板７ｂは、ハンドル２とは反対側に設けられる。第２側板７ｂは、軸方向において、第１側板７ａと間隔を隔てて配置される。
【００４５】
図２Ａ及び図２Ｂに示すように、第２側板７ｂは、スプール１０を着脱するための開口部７ｄを、有する。開口部７ｄは、スプール軸方向に第２側板７ｂを貫通する。開口部７ｄは、実質的に円筒状に形成される。
【００４６】
開口部７ｄには、回動部材１９が配置される。開口部７ｄは、案内凹部７ｅと、バヨネット溝部７ｆと、位置決め凹部７ｇとを、有する。案内凹部７ｅは、回動部材１９のバヨネット凸部１９ｄ（後述する）をバヨネット溝部７ｆに案内する。案内凹部７ｅは、開口部７ｄの内周面に設けられる。ここでは、複数（例えば２個）の案内凹部７ｅが、開口部７ｄの内周面に形成される。
【００４７】
図２Ａに示すように、各案内凹部７ｅは、軸方向に延びる溝部である。各案内凹部７ｅは、第２側板７ｂの外面からバヨネット溝部７ｆに向けて、軸方向に延びる。
【００４８】
図２Ｂに示すように、各案内凹部７ｅは、周方向において、間隔を隔てて配置される。例えば、各案内凹部７ｅは、周方向において、１８０度の間隔で配置される。すなわち、各案内凹部７ｅは、径方向に対向して配置される。ここでは、一方の案内凹部７ｅが、釣竿側すなわち開口部７ｄの下方に、配置される。他方の案内凹部７ｅは、釣竿から離れた側すなわち開口部７ｄの上方に、配置される。他方の案内凹部７ｅの構成は、一方の案内凹部７ｅの構成と同じである。
【００４９】
図２Ａ及び図２Ｂに示すように、バヨネット溝部７ｆは、回動部材１９のバヨネット凸部１９ｄを周方向に案内する。バヨネット溝部７ｆは、開口部７ｄの内周面に設けられる。ここでは、複数（例えば２個）のバヨネット溝部７ｆが、開口部７ｄの内周面に形成される。
【００５０】
各バヨネット溝部７ｆは、周方向に延びる。各バヨネット溝部７ｆは、各案内凹部７ｅから周方向に延びる。例えば、一方のバヨネット溝部７ｆは、下方の案内凹部７ｅから上方の案内凹部７ｅに向けて延びる。詳細には、図２Ｂに示すように、第２側板７ｂを軸方向外側から見た場合、一方のバヨネット溝部７ｆは、下方の案内凹部７ｅから、時計回りの周方向に向けて延びる。一方のバヨネット溝部７ｆの先端部７ｈは、上方の案内凹部と間隔を隔てて配置される。
【００５１】
他方のバヨネット溝部７ｆの構成は、上記の一方のバヨネット溝部７ｆの構成と実質的に同じである。他方のバヨネット溝部７ｆは、上方の案内凹部７ｅから、下方の案内凹部７ｅに向けて延びる。詳細には、図２Ｂに示すように、第２側板７ｂを軸方向外側から見た場合、他方のバヨネット溝部７ｆは、上方の案内凹部７ｅから、時計回りの周方向に向けて延びる。他方のバヨネット溝部７ｆの先端部７ｈは、下方の案内凹部７ｅと間隔を隔てて配置される。
【００５２】
複数のバヨネット溝部７ｆそれぞれの先端部７ｈには、バヨネット凸部１９ｄが当接可能である。これにより、回動部材１９が周方向に位置決めされる。
【００５３】
図２Ａ及び図２Ｂに示すように、位置決め凹部７ｇは、スプール支持部１７の回転を規制するためのものである。位置決め凹部７ｇは、開口部７ｄの内周面に設けられる。ここでは、少なくとも１つ（例えば１個）の位置決め凹部７ｇが、開口部７ｄの内周面に形成される。位置決め凹部７ｇは、軸方向に延びる溝部である。位置決め凹部７ｇは、一方のバヨネット溝部７ｆの先端部７ｈ、及び上方の案内凹部の周方向間に配置される。
【００５４】
図１に示すように、複数の連結部７ｃは、第１側板７ａと第２側板７ｂとを連結する。複数の連結部７ｃは、第１側板７ａ及び第２側板７ｂの前部、後部、及び下部において、第１側板７ａ及び第２側板７ｂを互いに連結する。下部の連結部には、釣り竿装着用の竿装着脚部が一体に形成される。
【００５５】
図１に示すように、側カバー８ａは、ハンドル２側のフレーム７を覆う。詳細には、側カバー８ａは、第１側板７ａに装着され、第１側板７ａを覆う。側カバー８ａは、図示しない軸受を介して、スプール軸１４の一端を回転可能に支持する。
【００５６】
＜スプール支持構造の構成＞
スプール支持構造１５は、スプール軸１４を支持する（図８を参照）。詳細には、スプール支持構造１５は、スプール軸１４の他端側を回転可能に支持する。
【００５７】
図１に示すように、スプール支持構造１５は、リール本体１に着脱可能に装着される。ここでは、スプール支持構造１５は、ハンドル２とは反対側のフレーム７に着脱可能に装着される。詳細には、図１、図２Ａ、及び図３に示すように、スプール支持構造１５は、第２側板７ｂの開口部７ｄに着脱可能に装着され、第２側板７ｂの開口部７ｄを覆う。
【００５８】
図３及び図４に示すように、スプール支持構造１５は、スプール支持部１７と、回動部材１９と、抜け止め部材２１とを、有する。
【００５９】
（スプール支持部）
図１、図３、及び図８に示すように、スプール支持部１７は、回動部材１９を介して、リール本体１に着脱可能に装着される。スプール支持部１７は、スプール軸心ＣＡ及び回動部材１９の径方向間に、配置される。
【００６０】
図４及び図８に示すように、スプール支持部１７は、スプール軸１４の他端を支持可能に構成される。スプール支持部１７は、回動部材１９を介して、リール本体１に着脱可能に装着される。スプール支持部１７は、抜け止め部材２１を保持可能に構成される。スプール支持部１７は、抜け止め部材２１を介して、回動部材１９を回転可能に保持する。
【００６１】
図４、図５、及び図８に示すように、スプール支持部１７は、軸支持部１７ａと、筒部１７ｂと、円板部１７ｃとを、有する。
【００６２】
図４及び図８に示すように、軸支持部１７ａは、スプール軸１４の他端を回転可能に支持する。具体的には、軸支持部１７ａは、実質的に筒状に形成される。軸支持部１７ａの中心は、スプール軸心ＣＡと同芯である。
【００６３】
軸支持部１７ａの内周部には、スプール軸１４の他端が配置される。軸支持部１７ａの内周面とスプール軸１４の他端外周面との間には、軸受１６が配置される。すなわち、軸支持部１７ａは、軸受１６を介して、スプール軸１４の他端を回転可能に支持する。
【００６４】
筒部１７ｂは、実質的に筒状に形成される。筒部１７ｂは、径方向において、軸支持部１７ａと間隔を隔てて配置される。筒部１７ｂの径方向外側には、回動部材１９が配置される（図８を参照）。
【００６５】
図５に示すように、筒部１７ｂは、孔部１７ｄと、案内溝部１７ｅと、位置決め凸部１７ｈとを、有する。ここでは、筒部１７ｂは、複数（例えば３個）の孔部１７ｄと、複数（例えば３個）の案内溝部１７ｅと、少なくとも１つ（例えば１個）の位置決め凸部１７ｈとを、有する。
【００６６】
各孔部１７ｄは、抜け止め部材２１の各規制部２１ｂ（後述する）を、筒部１７ｂの内周側から回動部材１９に向けて挿通するためのものである（図８を参照）。各孔部１７ｄは、筒部１７ｂを径方向に貫通している。すなわち、各孔部１７ｄは、スプール軸心ＣＡから回動部材１９に向けて径方向に延びる。各孔部１７ｄは、周方向において、間隔を隔てて配置される。例えば、各孔部１７ｄは、周方向において、６０度の間隔で配置される。
【００６７】
図５に示すように、各案内溝部１７ｅは、各規制部２１ｂを各孔部１７ｄに案内するためのものである。各案内溝部１７ｅは、軸方向に延びる。各案内溝部１７ｅは、筒部１７ｂの端部（例えばスプール１０側）から、各孔部１７ｄに向けて、軸方向に延びる。各案内溝部１７ｅは、周方向において、間隔を隔てて配置される。例えば、各案内溝部１７ｅは、周方向において、６０度の間隔で配置される。
【００６８】
図５に示すように、位置決め凸部１７ｈは、リール本体１に対するスプール支持部１７の回転を規制するためのものである。位置決め凸部１７ｈは、筒部１７ｂの外周部に設けられる。詳細には、位置決め凸部１７ｈは、筒部１７ｂの外周部と一体に形成され、筒部１７ｂの外周部から径方向外側に突出する。位置決め凸部１７ｈは、リール本体１（開口部７ｄ）の位置決め凹部７ｇ（図２Ａ及び図２Ｂを参照）に、配置される。
【００６９】
図５及び図８に示すように、円板部１７ｃは、軸支持部１７ａ及び筒部１７ｂを連結する。円板部１７ｃは、実質的に円板状に形成される。円板部１７ｃの内周部には、軸支持部１７ａが一体に形成される。円板部１７ｃの外周部には、筒部１７ｂが一体に形成される。
【００７０】
図１及び図３に示すように、円板部１７ｃには、調整ダイヤル２０を操作するための開口１７ｇが、設けられる。また、図５に示すように、円板部１７ｃの内面には、調整ダイヤル２０を配置するための環状凹部１７ｆが、形成される。ここで、調整ダイヤル２０は、スプール１０の制動力を調整するための操作部材である。調整ダイヤル２０は、スプール１０の制動力を調整するスプール制動機構３０（図８を参照）を、構成する。なお、スプール制動機構３０の構成及び動作等については、本実施形態では特に詳述しない。
【００７１】
（回動部材）
回動部材１９は、リール本体１に対してスプール支持部１７を連結可能に構成される。回動部材１９は、スプール支持部１７をリール本体１に取り付けたり、スプール支持部１７をリール本体１から取り外したりするために、用いられる。
【００７２】
図１及び図８に示すように、回動部材１９は、リール本体１及びスプール支持部１７の間に配置される。詳細には、回動部材１９は、第２側板７ｂの開口部７ｄ及びスプール支持部１７の径方向間に、配置される。
【００７３】
図３に示すように、回動部材１９は、スプール支持部１７に対して、回動可能に装着される。また、回動部材１９は、リール本体１例えば第２側板７ｂの開口部７ｄ（図２Ａ及び図８を参照）に対して、回動可能に配置される。
【００７４】
図３及び図６に示すように、回動部材１９は、回動部１９ａと、操作部１９ｂとを、有する。回動部１９ａは、実質的に円環状に形成される。回動部１９ａは、スプール支持部１７の外周部、例えば筒部１７ｂの外周面に、配置される（図８を参照）。
【００７５】
図６及び図８に示すように、回動部１９ａは、環状溝部１９ｃ（係合部の一例）と、バヨネット凸部１９ｄとを、有する。環状溝部１９ｃは、環状に形成された溝部である。環状溝部１９ｃは、回動部１９ａの内周面に形成される。環状溝部１９ｃは、周方向に延びる。
【００７６】
環状溝部１９ｃは、軸方向に対向する１対の壁部を、有する。１対の壁部それぞれは、環状に形成される。スプール１０側の壁部１９ｅは、抜け止め部材２１の各規制部２１ｂ（後述する）とスプール１０との軸方向間に、配置される。
【００７７】
図６及び図８に示すように、バヨネット凸部１９ｄは、回動部１９ａの外周部に設けられる。ここでは、複数（例えば２個）のバヨネット凸部１９ｄが、回動部１９ａの外周部に一体に形成される。
【００７８】
各バヨネット凸部１９ｄは、回動部１９ａの外周部から径方向外側に突出する。各バヨネット凸部１９ｄは、周方向において、間隔を隔てて配置される。例えば、各バヨネット凸部１９ｄは、周方向において、１８０度の間隔で配置される。すなわち、各バヨネット凸部１９ｄは、径方向に対向して配置される。
【００７９】
回動部材１９が、リール本体１例えば第２側板７ｂの開口部７ｄに、取り付けられる場合、各バヨネット凸部１９ｄは、開口部７ｄの各案内凹部７ｅ（図２Ａ及び図２Ｂを参照）に配置され、スプール１０に近づく軸方向に移動する。そして、各バヨネット凸部１９ｄが、各バヨネット溝部７ｆの位置に到達すると、各バヨネット溝部７ｆに沿って周方向に移動する。すると、各バヨネット凸部１９ｄは、各バヨネット溝部７ｆの先端部７ｈに当接する。これにより、各バヨネット凸部１９ｄが、第２側板７ｂの開口部７ｄに位置決めされる。
【００８０】
回動部材１９が、リール本体１例えば第２側板７ｂの開口部７ｄから、取り外される場合、各バヨネット凸部１９ｄは、各バヨネット溝部７ｆの先端部７ｈから各案内凹部７ｅに向かって、各バヨネット溝部７ｆを周方向に移動する。そして、各バヨネット凸部１９ｄが、各案内凹部７ｅに到達すると、各バヨネット凸部１９ｄは、各案内凹部７ｅから、スプール１０から離れる軸方向に、移動する。これにより、各バヨネット凸部１９ｄと、第２側板７ｂの開口部７ｄとの係合が解除される。
【００８１】
図３及び図６に示すように、操作部１９ｂは、回動部１９ａをリール本体１に対して回動させるために操作される部分である。操作部１９ｂは、回動部１９ａに設けられる。詳細には、操作部１９ｂは、回動部１９ａから径方向外側に突出し、回動部１９ａと一体に形成される。例えば、釣人が、手指を操作部１９ｂに係合させて、回転動作を行うことによって、回動部１９ａが回転する。
【００８２】
（抜け止め部材）
抜け止め部材２１は、スプール支持部１７から回動部材１９を抜け止めする部材である。図４、図６、及び図８に示すように、抜け止め部材２１は、スプール支持部１７及び回動部材１９に係合し、スプール支持部１７から回動部材１９を抜け止めする。抜け止め部材２１は、スプール支持部１７及びスプール軸心ＣＡの間に、配置される。抜け止め部材２１は、スプール支持部１７に装着される。
【００８３】
抜け止め部材２１は、弾性部材例えば金属製の弾性部材である。図７に示すように、抜け止め部材２１は、装着部２１ａと、規制部２１ｂとを、有する。装着部２１ａは、実質的に円弧状に形成される。図４に示すように、装着部２１ａは、スプール支持部１７及びスプール軸心ＣＡの径方向間において、スプール支持部１７に装着される。
【００８４】
装着部２１ａは、スプール支持部１７における筒部１７ｂの内周部に配置され、スプール支持部１７に装着される。より具体的には、装着部２１ａは、スプール支持部１７の筒部１７ｂ及びスプール支持部１７の軸支持部１７ａの径方向間に配置され、固定部材例えばネジ部材２２によってスプール支持部１７の円板部１７ｃに位置決めされる。
【００８５】
図７に示すように、装着部２１ａには、複数（例えば３個）の第１装着凹部２１ｃが、設けられる。各第１装着凹部２１ｃは、装着部２１ａの内周部に凹状に形成される。各第１装着凹部２１ｃは、装着部２１ａに沿う方向において、間隔を隔てて配置される。例えば、各第１装着凹部２１ｃは、装着部２１ａに沿う方向例えば周方向において、６０度の間隔で配置される。第１装着凹部２１ｃには、ネジ部材２２の頭部が配置される（図４を参照）。
【００８６】
ここでは、図４に示すように、環状の蓋部材２３が、装着部２１ａと、スプール支持部１７の円板部１７ｃの内面との間に配置される。蓋部材２３は、スプール支持部１７の円板部１７ｃに対して、調整ダイヤル２０を軸方向に位置決めするためのものである。蓋部材２３の内径は、調整ダイヤル２０の外径より小さい。
【００８７】
蓋部材２３には、複数（例えば３個）の第２装着凹部２３ａが、設けられる。各第２装着凹部２３ａは、蓋部材２３の外周部に凹状に形成される。各第２装着凹部２３ａは、蓋部材２３の外周部に沿う方向において、間隔を隔てて配置される。
【００８８】
例えば、各第２装着凹部２３ａは、蓋部材２３の外周部に沿う方向例えば周方向において、６０度の間隔で配置される。各第２装着凹部２３ａは、軸方向において、第１装着凹部２１ｃに対向して配置される。第１装着凹部２１ｃには、ネジ部材２２の軸部が配置される。
【００８９】
上記の構成により、抜け止め部材２１は、ネジ部材２２によって、径方向内側への移動が規制される。すなわち、抜け止め部材２１は、ネジ部材２２によって、径方向に位置決めされる。蓋部材２３は、ネジ部材２２の頭部と、スプール支持部１７の円板部１７ｃとの間で挟持される。これにより、蓋部材２３は、ネジ部材２２によってスプール支持部１７の円板部１７ｃに固定される。
【００９０】
規制部２１ｂは、スプール支持部１７からの回動部材１９の抜け出しを規制する。図７に示すように、規制部２１ｂは、装着部２１ａの外周部に設けられる。各規制部２１ｂは、各第１装着凹部２１ｃの径方向外側において、装着部２１ａの外周部に設けられる。規制部２１ｂは、装着部２１ａから回動部材１９に向けて延びる（図４及び図６を参照）。
【００９１】
ここでは、複数（例えば３個）の規制部２１ｂが、装着部２１ａの外周部に一体に形成される。各規制部２１ｂは、装着部２１ａの外周部に凸状に形成される。各規制部２１ｂは、装着部２１ａに沿う方向において、間隔を隔てて配置される。例えば、各規制部２１ｂは、装着部２１ａに沿う方向例えば周方向において、６０度の間隔で配置される。
【００９２】
図４、図６、及び図８に示すように、規制部２１ｂは、スプール支持部１７の孔部１７ｄ（図５を参照）を介して回動部材１９に係合することによって、回動部材１９の軸方向移動を規制する。
【００９３】
例えば、図４に示すように、各規制部２１ｂは、スプール支持部１７（筒部１７ｂ）の各案内溝部１７ｅによって、スプール支持部１７（筒部１７ｂ）の各孔部１７ｄに案内される。詳細には、円弧状の装着部２１ａを弾性変形することによって、各規制部２１ｂが、スプール支持部１７（筒部１７ｂ）の各案内溝部１７ｅに配置される。この状態において、各規制部２１ｂは、各案内溝部１７ｅによってスプール支持部１７（筒部１７ｂ）の各孔部１７ｄに案内され、各孔部１７ｄに配置される。
【００９４】
これにより、抜け止め部材２１が、スプール支持部１７に、位置決めされる。この状態において、図４に示すように、各規制部２１ｂにおける径方向外側の先端部は、スプール支持部１７の外周面（筒部１７ｂの外周面）から、突出している。図６及び図８に示すように、各規制部２１ｂの先端部は、回動部材１９の環状溝部１９ｃに配置される。
【００９５】
このように、各規制部２１ｂの先端部を環状溝部１９ｃに配置することによって、回動部材１９は、スプール支持部１７に対して抜け止めされ、且つスプール支持部１７に対して回動可能になる。
【００９６】
＜スプール支持構造の組み立て＞
スプール支持構造１５は、次のようにして組み立てられる。まず、回動部材１９が、スプール支持部１７の径方向外側に配置される。この状態において、回動部材１９の環状溝部１９ｃが、径方向において、スプール支持部１７の筒部１７ｂの各孔部１７ｄに対向して配置される。
【００９７】
次に、調整ダイヤル２０が、スプール支持部１７の軸支持部１７ａ及び筒部１７ｂの径方向間において、スプール支持部１７の環状凹部１７ｆに配置される。この状態で、環状の蓋部材２３が、スプール支持部１７の円板部１７ｃの内面に配置される。
【００９８】
続いて、抜け止め部材２１が、スプール支持部１７に装着される。詳細には、上述したように、抜け止め部材２１の装着部２１ａを弾性変形することによって、抜け止め部材２１の規制部２１ｂが、スプール支持部１７の各孔部１７ｄに配置される。これにより、抜け止め部材２１が、スプール支持部１７に対して周方向に位置決めされる。
【００９９】
また、この状態では、抜け止め部材２１の装着部２１ａの外周部が、スプール支持部１７の筒部１７ｂの内周部に当接する。これにより、スプール支持部１７に対する抜け止め部材２１の径方向外側への移動が、規制される。
【０１００】
さらに、この状態では、規制部２１ｂの先端部が、回動部材１９の環状溝部１９ｃに配置される。これにより、回動部材１９が、抜け止め部材２１（規制部２１ｂの先端部）によってスプール支持部１７に対して軸方向に抜け止めされ、スプール支持部１７に対して周方向に回動可能に配置される。
【０１０１】
最後に、固定手段例えばネジ部材２２が、スプール支持部１７の円板部１７ｃに装着される。これにより、抜け止め部材２１は、ネジ部材２２（例えば頭部）によって、径方向内側への移動が規制される。また、蓋部材２３が、ネジ部材２２（例えば頭部）によって、スプール支持部１７の円板部１７ｃに固定される。
【０１０２】
このようにして組み立てられたスプール支持構造１５は、次のようにして、リール本体１に取り付けられる。
【０１０３】
図３に示す回動部材１９の各バヨネット凸部１９ｄが、図２Ａに示すリール本体１（開口部７ｄ）の各案内凹部７ｅに配置され、図３に示すスプール支持部１７の位置決め凸部１７ｈが、図２Ａに示すリール本体１（開口部７ｄ）の位置決め凹部７ｇに、配置される。
【０１０４】
この状態において、スプール支持構造１５がスプール１０側に押し込まれる。この際に、スプール軸１４の端部が、軸受１６を介して、スプール支持部１７の軸支持部１７ａに回転可能に支持される。
【０１０５】
続いて、回動部材１９が回動されると、回動部材１９の各バヨネット凸部１９ｄが、各バヨネット溝部７ｆに沿って周方向に移動する。そして、各バヨネット凸部１９ｄが各バヨネット溝部７ｆの先端部７ｈに当接する。これにより、スプール支持構造１５がリール本体１に取り付けられる。なお、上記の取付形態とは逆の手順を行うことによって、スプール支持構造１５がリール本体１に取り外される。
【０１０６】
＜他の実施形態＞
以上、本発明の実施形態について説明したが、本発明はこれらに限定されるものではなく、本発明の趣旨を逸脱しない限りにおいて種々の変更が可能である。
【０１０７】
（ａ）前記実施形態では、抜け止め部材２１が、板状の弾性部材である場合の例を示したが、抜け止め部材２１は、線状の弾性部材であってもよい。また、抜け止め部材２１が、金属製の弾性部材である場合の例を示したが、抜け止め部材２１は、樹脂製の弾性部材であってもよい。
（ｂ）前記実施形態では、抜け止め部材２１が、弾性部材である場合の例を示したが、抜け止め部材２１は、非弾性部材であってもよい。この場合、抜け止め部材２１は、次のように構成されることが好ましい。
例えば、抜け止め部材２１は、複数の抜け止め部材から構成され、各抜け止め部材が規制部を有する。各抜け止め部材の規制部は、孔部１７ｄを介して、スプール支持部１７（筒部１７ｂ）の径方向内側から回動部材１９（環状溝部１９ｃ）に係合する。この状態において、各抜け止め部材が、ネジ部材等の固定手段によって、スプール支持部１７（円板部１７ｃ）に固定される。
（ｃ）前記実施形態では、調整ダイヤル２０がスプール支持構造１５に装着される場合の例を示した。これに代えて、調整ダイヤル２０例えばスプール制動機構３０を有していない両軸受リールにも、本発明は適用可能である。
（ｄ）前記実施形態では、スプール１０がスプール軸１４と一体回転可能に構成される場合の例を示したが、スプール１０がスプール軸１４に対して回転可能に支持されてもよい。
【符号の説明】
【０１０８】
１００  両軸受リール
１  リール本体
１０  スプール
１４  スプール軸
１５  スプール支持構造
１７  スプール支持部
１７ｂ  筒部
１７ｄ  孔部
１７ｅ  案内溝部
１９  回動部材
１９ｃ  環状溝部
２１  抜け止め部材
２１ａ  装着部
２１ｂ  規制部
ＣＡ  スプール軸心
【手続補正３】
【補正対象書類名】図面
【補正対象項目名】図４
【補正方法】変更
【補正の内容】
【図４】
2019088198.tif 000001